(57)【要約】【課題】収納機器の点検を容易にしうる金属閉鎖形スイッチギヤを提供する。【解決手段】金属閉鎖形スイッチギヤは、箱体２１内に主回路断路部を有し、且つ収納箱内に載置固定された収納機器２４を収納してなる金属閉鎖形スイッチギヤにおいて、前記収納機器２４を載置固定した前記収納箱を、その上面が開放され正面板に略直角に連設された底面板を有して構成し、前記収納箱は直線移動されて引出し可能に配置され、前記主回路断路部から前記収納機器２４を開離し、その後、前記収納機器２４の上面が前記箱体２１の正面側に位置されるような回動手段により回動されるようにしたことを特徴とする。【選択図】  図１
2004166390.tif 000002
【特許請求の範囲】
【請求項１】
箱体内に主回路断路部を有し、且つ収納箱内に載置固定された収納機器を収納してなる金属閉鎖形スイッチギヤにおいて、
前記収納機器を載置固定した前記収納箱を、その上面が開放され正面板に略直角に連設された底面板を有して構成し、
前記収納箱は直線移動されて引出し可能に配置され、前記主回路断路部から前記収納機器を開離し、
その後、前記収納機器の上面が前記箱体の正面側に位置されるような回動手段により回動されるようにしたことを特徴とする金属閉鎖形スイッチギヤ。
【請求項２】
箱体内に主回路断路部を有し、且つ収納箱内に載置固定された収納機器を収納してなる金属閉鎖形スイッチギヤにおいて、
前記収納機器を載置固定した前記収納箱を、その上面が開放され正面板に略直角に連設された底面板を有するとともに、前記底面板に接地板を設けて構成され、前記収納箱の両側面には２対のローラを、前記箱体の正面側と背面側の直線上に設け、
前記箱体には前記収納箱のローラが滑動する直線溝と、この直線溝から分岐した円弧状溝を有するガイド板を設けてなり、
前記収納箱は直線移動されて引出し可能に配置され、前記主回路断路部から前記収納機器を開離し、
その後、前記正面側の一対の前記ローラを支点として、前記背面側の一対の前記ローラを前記円弧状溝に滑動させ、前記収納機器の上面が前記箱体の正面側に位置されるように前記収納箱を回動し、
前記収納箱の前記底面板に連接された接地板を、この接地板の回動軌道上の前記箱体に設けた接地極に接触固定させるようにしたことを特徴とする金属閉鎖形スイッチギヤ。
【請求項３】
前記収納機器が計器用変成器であることを特徴とする請求項１または請求項２に記載の金属閉鎖形スイッチギヤ。
【請求項４】
前記収納機器に付属装置が取付けられていることを特徴とする請求項１または請求項２に記載の金属閉鎖形スイッチギヤ。
【請求項５】
前記収納箱が回動後、前記箱体側の主回路部と前記収納機器の間に前記収納箱の底面板が位置することを特徴とする請求項１または請求項２に記載の金属閉鎖形スイッチギヤ。
【発明の詳細な説明】
【０００１】
【発明の属する技術分野】
本発明は、計器用変成器のような収納機器の点検、清掃作業を容易にしうる金属閉鎖形スイッチギヤに関する。
【０００２】
【従来の技術】
従来のこの種受電用の金属閉鎖形スイッチギヤは、図５に示すように、箱体１の内部が仕切り板２ａ、２ｂ、２ｃ、２ｄにより、それぞれ前記箱体１の背面側の受電室１ａ、中央部の母線室１ｂ、正面側上段の遮断器室１ｃ、正面側下段の収納機器室１ｄ、正面側最上段の制御室１ｅに分かれている。そして、前記受電室１ａには受電用の２条のケーブル３、前記母線室１ｂには母線４、前記遮断器室１ｃには遮断器５、前記収納機器室１ｄには収納機器として計器用変成器６が収納されている。この計器用変成器６には、そのコイルに保護用ヒューズが直列に接続されている。
【０００３】
また、前記ケーブル３の端子と前記遮断器５の一方の端子の間は、接続導体７を介して、前記仕切り板２ｂを貫通した図示下段の主回路断路部８で接続されている。この主回路断路部８には、変流器９が一体モールドされている。また、前記遮断器５の他方の端子と前記母線４の間は、前記仕切り板２ｂを貫通した図示上段の主回路断路部１０で接続されている。
【０００４】
更に、前記ケーブル３と前記計器用変成器６の間は、前記接続導体７から分岐された分岐導体１１を介して、前記仕切り板２ｂを貫通した主回路断路部１２で接続されている。なお、この分岐導体１１には、主回路を接地する接地開閉器１３が設けられている。
【０００５】
ここで、前記計器用変成器６を点検、清掃する場合、先ず、実線で図示した接続位置から点線で示したＡ点位置まで、正面側方向の直線方向に前記計器用変成器６を引出し、主回路と切離して断路する。このように断路すると、金属製のシャッター１４が時計方向に９０度回動して、前記主回路断路部１２の充電部が覆われる構成となっている。このシャッター１４は、前記仕切り板２ｂと同電位の接地電位のため、前記受電室１ａと前記収納機器室１ｄが電気的に隔離される。
【０００６】
次に、図示していないが、専用の付属機器のリフターで、前記箱体１から前記計器用変成器６を搬出する。これにより、前記計器用変成器６やこの計器用変成器６のコイルに直列接続された保護用ヒューズなどの点検、清掃が行われていた。
【０００７】
また、リフターを用いない方法として、従来、引出した電気機器をターンテーブル上に載せ、この電気機器を回転させて点検するようなものが知られている（例えば、特許文献１参照。）。
【０００８】
【特許文献１】
実開平６−５２３１４号公報（第５頁、図１）
【０００９】
【発明が解決しようとする課題】
上記の従来の金属閉鎖形スイッチギヤにおいて、下記の問題がある。
【００１０】
前記計器用変成器６は、鉄心にコイルを巻いて形成されており、定格容量によって重量が異なるが、３相分で百数十ｋｇの重量物となる。このため、前記リフターで注意深く搬出を行わなくてはならず、横転、落下などを防止する付帯作業を要し作業が困難であった。
【００１１】
また、前記保護用ヒューズの保護レベルを上げようとすると、溶断し易くなるため、点検、清掃、交換が多頻度となり、上記の付帯作業の改善が望まれていた。なお、これらの作業は、金属閉鎖形スイッチギヤの設置環境にもよるが、一般的に年１回程度の頻度で行われている。
【００１２】
また、ターンテーブルを用いて点検しようとしても、前記計器用変成器６のような重量物に適した機構としているので、ターンテーブル自体の機構の点検が必要となり、点検作業が煩雑となる。
【００１３】
更に、主回路部を覆う前記シャッター１４は、前記計器用変成器６の接続位置と断路位置に連動した機構が必要であり、これらの機構の動作確認や注油などの点検作業も生じていた。
【００１４】
従って、本発明は、計器用変成器の点検を容易にした金属閉鎖形スイッチギヤを提供することを目的とする。
【００１５】
【課題を解決するための手段】
上記目的を達成するために、第１の発明の金属閉鎖形スイッチギヤは、箱体内に主回路断路部を有し、且つ収納箱内に載置固定された収納機器を収納してなる金属閉鎖形スイッチギヤにおいて、前記収納機器を載置固定した前記収納箱を、その上面が開放され正面板に略直角に連設された底面板を有して構成し、前記収納箱は直線移動されて引出し可能に配置され、前記主回路断路部から前記収納機器を開離し、その後、前記収納機器の上面が前記箱体の正面側に位置されるような回動手段により回動されるようにしたことを特徴とする。
【００１６】
また、第２の発明の金属閉鎖形スイッチギヤは、箱体内に主回路断路部を有し、且つ収納箱内に載置固定された収納機器を収納してなる金属閉鎖形スイッチギヤにおいて、前記収納機器を載置固定した前記収納箱を、その上面が開放され正面板に略直角に連設された底面板を有するとともに、前記底面板に接地板を設けて構成され、前記収納箱の両側面には２対のローラを、前記箱体の正面側と背面側の直線上に設け、前記箱体には前記収納箱のローラが滑動する直線溝と、この直線溝から分岐した円弧状溝を有するガイド板を設けてなり、前記収納箱は直線移動されて引出し可能に配置され、前記主回路断路部から前記収納機器を開離し、その後、前記正面側の一対の前記ローラを支点として、前記背面側の一対の前記ローラを前記円弧状溝に滑動させ、前記収納機器の上面が前記箱体の正面側に位置されるように前記収納箱を回動し、前記収納箱の前記底面板に連接された接地板を、この接地板の回動軌道上の前記箱体に設けた接地極に接触固定させるようにしたことを特徴とする。
【００１７】
このような第１と第２の発明によれば、収納機器を載置固定した収納箱を箱体の正面側から直線方向に移動させ、その後、回動させて、前記収納機器の上部をほぼ箱体正面側の外部に位置させることができる。従って、前記収納機器の点検、清掃作業が容易になる。また、前記収納機器を収納する収納箱の底面板と連接されている接地板が接地電位となり、前記箱体側の主回路部との隔壁にすることができる。
【００１８】
【発明の実施の形態】
以下、本発明の実施の形態に係る金属閉鎖形スイッチギヤを図１乃至図４を参照して説明する。図１は、本発明の実施の形態に係る金属閉鎖形スイッチギヤの内部を示す側面図、図２は、本発明の実施の形態に係る計器用変成器の接続位置を示す拡大側面図、図３は、本発明の実施の形態に係る計器用変成器を示す拡大正面図、図４は、本発明の実施の形態に係る計器用変成器の断路位置を示す拡大側面図である。
【００１９】
図１に示すように、箱体２１の内部は、仕切り板２２ａ、２２ｂ、２２ｃにより、前記箱体２１内で背面側から正面側に繋がっている受電室２１ａ、中央部の母線室２１ｂ、正面側上段の遮断器室２１ｃ、正面側最上段の制御室２１ｄに分かれている。そして、前記受電室２１ａには、前記箱体２１の背面側に配置した受電用の２条のケーブル２３および正面側に配置した収納機器として計器用変成器２４が、また、前記母線室２１ｂには母線２５、前記遮断器室２１ｃには遮断器２６が夫々収納されている。
【００２０】
このケーブル２３の端子と前記遮断器２６の一方の端子の間は、接続導体２７を介して、前記仕切り板２２ｂを貫通して固定された図示下段の主回路断路部２８で接続されている。また、前記遮断器２６の他方の端子と前記母線２５の間は、前記仕切り板２２ｂを貫通して固定された図示上段の主回路断路部２９で接続されている。
【００２１】
なお、前記接続導体２７には、前記仕切り板２２ｂに固定された変流器３０が貫通されている。更に、前記ケーブル２３と前記計器用変成器２４の間は、前記接続導体２７から分岐された分岐導体３１で接続されている。この分岐導体３１には、主回路を接地する接地開閉器３２が設けられている。
【００２２】
そして、前記受電室２１ａに収納されている前記計器用変成器２４は、図２および図３に示すように、コイルに直列接続された保護用ヒューズ３３が取付けられており、収納箱３４の底面板３４ｂ上に載置固定されている。この収納箱３４は、正面板３４ａとこの正面板３４ａにほぼ直角に連設された前記底面板３４ｂ、側面板３４ｄ、および前記底面板３４ｂに連接された接地板３４ｃから構成され、前記計器用変成器２４の上面は開放されている。また、前記収納箱３４の両側面板３４ｄに２対のローラ３５、３６が直線上に回転自在に配置され、且つ前記正面板３４ａに把手３７が取付けられている。
【００２３】
一方、前記箱体２１の両側面の内側には、それぞれガイド板３８が固定され、前記収納箱３４の前記ローラ３５、３６が滑動する直線溝３８ａとこの直線溝３８ａから分岐した円弧状溝３８ｂが設けられている。また、前記直線溝３８ａには、ストッパー３９が設けられ、このストッパー３９と前記円弧状溝３８ｂまでの距離は、前記ローラ３５と背面側の前記ローラ３６間の距離とほぼ等しくしている。
【００２４】
更に、前記計器用変成器２４の主回路には接触子４０が設けられ、前記箱体２１側に支持碍子４１を介して固定された導体４２と接離自在に接続されている。この接触子４０と導体４２で、前記計器用変成器２４の主回路断路部が形成されている。また、前記箱体２１の底面部には接地極４３が固定され、前記収納箱３４に設けた接地板３４ｃが接触されるようになっている。なお、前記受電室２１ａの正面側には、正面扉４４が設けられている。
【００２５】
このような前記計器用変成器２４を点検、清掃する場合には、先ず、前記正面扉４４を開け、前記収納箱３４を前記把手３７を使って、前記直線溝３８ａの前記ストッパー３９に前記ローラ３５が当接するまで、前記箱体２１の正面側方向に直線移動させる。（図示Ｘ方向）。これにより、前記接触子４０と導体４２が開離し、前記計器用変成器２４が主回路接続位置から断路される。
【００２６】
この状態においては、背面側の前記ローラ３６が、前記円弧状溝３８ｂにほぼ一致する位置まで移動している。その後、前記ローラ３５と前記ストッパー３９の当接部分を支点として、背面側の前記ローラ３６を前記円弧状溝３８ｂに沿って滑動させ、前記収納箱３４を９０度回動させる。（図示Ｙ方向）。これにより、図４に示すように、前記収納箱３４が水平位置から垂直位置に回動され、前記計器用変成器２４の上面と前記保護用ヒューズ３３が前記箱体２１のほぼ正面側に位置されるようになる。そして、前記接地板３４ｃが前記接地極４３に接触し、前記収納箱３４が接地電位となる。更に、前記収納箱３４の前記底面板３４ｂが主回路の前面部に位置することとなる。
【００２７】
このように、前記計器用変成器２４を載置固定した前記収納箱３４を、水平位置から引出した後、回動させて垂直位置とする回動手段が、前記ローラ３５、３６およびこのローラ３５、３６が滑動する前記直線溝３８ａと前記円弧状溝３８ｂを有する前記ガイド板３８で形成される。
【００２８】
なお、前記収納箱３４を接続位置にする場合には、前記収納箱３４を垂直位置から水平位置に回動させ、その後、前記箱体２１の背面側の水平方向に押込めばよい。
【００２９】
上記実施の形態によれば、前記収納箱３４を水平位置から垂直位置になるように回動させることにより、前記計器用変成器２４や前記保護用ヒューズ３３を前記箱体２１の内部からほぼ正面側の外部に位置させることができるので、点検、清掃を容易にすることができる。また、前記保護用ヒューズ３３は、被保護機器の保護レベルを上げるために、溶断する定格容量を下げると比較的小さな過電流やサージで溶断することになり、点検する頻度が多くなるが、このような多頻度の点検においても、短時間で容易に行うことができる。
【００３０】
更に、前記計器用変成器２４は、鉄心にコイルを巻いたものであり、百数十ｋｇの重量物であるが、前記ローラ３５、３６を前記直線溝３８ａと円弧状溝３８ｂに滑動させることで容易に移動と回動をさせることができる。
【００３１】
また、前記収納箱３４に設けた前記接地板３４ｃの回動軌跡上に、前記接地板３４ｃが接触する前記接地極４３を配置しているので、前記収納箱３４が確実に接地電位となる。更に、前記収納箱３４の前記底面板３４ｂと前記接地板３４ｃの部分が、前記導体４２などの主回路部の前面に立ちはだかり、隔壁とすることができる。従って、主回路部と前記計器用変成器２４を隔離する従来のシャッターなどの隔壁を動作させる複雑な機構を設ける必要がなくなる。
【００３２】
なお、上記実施の形態では、前記収納箱３４の前記側面板３４ｄに前記ローラ３５、３６を設け、前記ガイド板３８に前記直線溝３８ａと前記円弧状溝３８ｂを設けたが、前記側面板３４ｄに前記直線溝３８ａと円弧状溝３８ｂを設け、前記ガイド板３８に前記ローラ３５、３６を設けてもよい。これにより、前記収納箱３４を水平位置から引出した後、垂直位置になるように回動させて、前記計器用変成器２４を前記箱体２１の内部からほぼ正面側の外部に位置させることができる。
【００３３】
また、上記実施の形態では、収納機器として計器用変成器を用いたものについて説明したが、保護用ヒューズをコイルに直列接続した接地形計器用変成器や、電流作動を計測する磁束片を備えた避雷器を用いてもよい。これにより、収納機器の本体や保護用ヒューズや磁束片などの付属装置の点検や計測を容易に行うことができる。
【００３４】
【発明の効果】
以上述べたように本発明によれば、収納箱に載置固定した収納機器を、箱体の正面側から直線方向に引出して主回路から断路させ、その後前記収納箱を回動させて、前記収納機器を前記箱体のほぼ正面側の外部に取り出すことができる。従って、前記収納機器の点検作業が容易になる。また、前記収納機器を載置固定した収納箱の回動時、前記収納箱に設けた接地板を前記箱体の接地極に接触させて前記収納箱を接地電位とすることができるので、主回路部との隔壁とすることができる。
【図面の簡単な説明】
【図１】本発明の実施の形態に係る金属閉鎖形スイッチギヤの内部を示す側面図。
【図２】本発明の実施の形態に係る計器用変成器の接続位置を示す拡大側面図。
【図３】本発明の実施の形態に係る計器用変成器を示す拡大正面図。
【図４】本発明の実施の形態に係る計器用変成器の断路位置を示す拡大側面図。
【図５】従来の金属閉鎖形スイッチギヤの内部を示す側面図。
【符号の説明】
１、２１  箱体
１ａ、１ｂ、１ｃ、１ｄ、１ｅ、２１ａ、２１ｂ、２１ｃ  室
２ａ、２ｂ、２ｃ、２ｄ、２２ａ、２２ｂ、２２ｃ  仕切り板
３、２３  ケーブル
４、２５  母線
５、２６  遮断器
６、２４  計器用変成器
７、２７  接続導体
８、１０、１２、２８、２９  主回路断路部
９、３０  変流器
１１、３１  分岐導体
１３、３２  接地開閉器
１４  シャッター
３３  保護用ヒューズ
３４  収納箱
３４ａ  正面板
３４ｂ  底面板
３４ｃ  接地板
３４ｄ  側面板
３５、３６  ローラ
３６  接触子
３７  把手
３８ａ  直線溝
３８ｂ  円弧状溝
３９  ストッパー
４０  接触子
４１  支持碍子
４２  導体
４３  接地極
４４  正面扉
【図１】
2004166390.tif 000003
【図２】
2004166390.tif 000004
【図３】
2004166390.tif 000005
【図４】
2004166390.tif 000006
【図５】
2004166390.tif 000007